(57)【要約】【課題】ヘッド部と柄部が別体で構成された歯ブラシにおいて、歯磨き中にヘッド部が回転せず安定して使用できる歯ブラシを提供する。【解決手段】歯ブラシ１のヘッド台３０は、正面側に十字状の凹部３１を有するとともに、十字状の中心部においてヘッド台３０の厚さ方向に貫通する貫通孔３２を有し、ヘッド部２０は一方の主面２１に毛束１０が植毛され、他方の主面２２に凹部３１と嵌合可能な十字状の凸部２３を有するとともに、十字状の中心部から厚さ方向に突出しヘッド台３０の貫通孔３２に挿通可能なボルト部２４を有し、ボルト部２４がヘッド台３０の正面側から貫通孔３２に挿通され、凸部２３が凹部３１と嵌合した状態で、ボルト部２４はヘッド台３０の背面側から貫通孔３２に挿入されたキャップ状部材６０で固定されている。【選択図】図１
2019071943.tif 000002
【特許請求の範囲】
【請求項１】
毛束が植毛されたヘッド部と、前記ヘッド部を支持するヘッド台と、使用者が把持する柄部と、前記ヘッド台と前記柄部とを連結する首部と、を有する歯ブラシであって、
前記ヘッド台は、正面側に十字状の凹部を有するとともに、前記十字状の中心部において前記ヘッド台の厚さ方向に貫通する貫通孔を有し、
前記ヘッド部は、一方の主面に毛束が植毛され、他方の主面に前記ヘッド台の前記凹部と嵌合可能な十字状の凸部を有するとともに、前記十字状の中心部から厚さ方向に突出し前記ヘッド台の前記貫通孔に挿通可能なボルト部を有し、
前記ボルト部が前記ヘッド台の正面側から前記貫通孔に挿通され、前記凸部が前記凹部と嵌合した状態で、前記ボルト部は前記ヘッド台の背面側から前記貫通孔に挿入されたキャップ状部材で固定されていることを特徴とする歯ブラシ。
【請求項２】
前記柄部は、前記ヘッド部から遠ざかるに従って、前記ヘッド部の前記主面に対して背面側に傾斜していることを特徴とする請求項１に記載の歯ブラシ。
【請求項３】
前記首部は背面側に膨出し、側面視略円弧状に形成されていることを特徴とする請求項１又は２に記載の歯ブラシ。
【請求項４】
前記柄部の背面の中央付近には、外側に突出する引掛部が形成されていることを特徴とする請求項１から３の何れか１項に記載の歯ブラシ。
【請求項５】
前記毛束を構成する毛の先端部の表面には、凹凸が設けられていることを特徴とする請求項１から４の何れか１項に記載の歯ブラシ。
【発明の詳細な説明】
【技術分野】
【０００１】
本発明は、歯ブラシに関し、特にヘッド部と柄部が別体で構成された歯ブラシに関する。
【背景技術】
【０００２】
従来の歯ブラシは、一般に、毛束が植毛されたブラシ体の短辺に柄が付着された直線状（一字型）の構造であり、左右方向の歯磨きの動きは容易であるが、上下方向の動きは行い難く、歯磨きの動きは左右方向へ偏る傾向があった。しかし、このような左右方向へ歯ブラシを動かす歯磨きは、歯間を十分に磨くことができず、虫歯や歯周炎等を誘発し易いという問題点があった。
【０００３】
このような問題点を解決するために、特許文献１には、歯ブラシの回転軸にハケの台を接続し、ハケの台を左右に回動できるようにして、凹設ストッパーの溝に凸設ストッパーがおさまるようにした回動歯ブラシが記載されている。
【先行技術文献】
【特許文献】
【０００４】
【特許文献１】実用新案登録第３０１２４７５号公報
【発明の概要】
【発明が解決しようとする課題】
【０００５】
しかしながら、特許文献１に記載の歯ブラシにおいては、歯磨きの最中に凸設ストッパーが凹設ストッパーの溝内を回動するおそれがあり、安定して所望の角度で歯磨きをすることができないという問題点がある。
【０００６】
本発明は、上述した問題点を解決するためになされたものであり、ヘッド部と柄部が別体で構成された歯ブラシにおいて、歯磨き中にヘッド部が回転せず安定して使用できる歯ブラシを提供することを目的とする。
【課題を解決するための手段】
【０００７】
上記目的の少なくとも１つを達成するために、本発明に係る歯ブラシは、毛束が植毛されたヘッド部と、前記ヘッド部を支持するヘッド台と、使用者が把持する柄部と、前記ヘッド台と前記柄部とを連結する首部と、を有する歯ブラシであって、前記ヘッド台は、正面側に十字状の凹部を有するとともに、前記十字状の中心部において前記ヘッド台の厚さ方向に貫通する貫通孔を有し、前記ヘッド部は、一方の主面に毛束が植毛され、他方の主面に前記ヘッド台の前記凹部と嵌合可能な十字状の凸部を有するとともに、前記十字状の中心部から厚さ方向に突出し前記ヘッド台の前記貫通孔に挿通可能なボルト部を有し、前記ボルト部が前記ヘッド台の正面側から前記貫通孔に挿通され、前記凸部が前記凹部と嵌合した状態で、前記ボルト部は前記ヘッド台の背面側から前記貫通孔に挿入されたキャップ状部材で固定されていることを特徴とする。
【０００８】
本発明によれば、前記ボルト部が前記ヘッド台の正面側から前記貫通孔に挿通され、前記凸部が前記凹部と嵌合した状態で、前記ボルト部は前記ヘッド台の背面側から前記貫通孔に挿入されたキャップ状部材で固定されているため、使用者の歯磨き中にヘッド部が回転したり厚さ方向に動いたりすることがなく、安定して使用することができる。
【０００９】
上記発明において、前記柄部は、前記ヘッド部から遠ざかるに従って、前記ヘッド部の前記主面に対して背面側に傾斜していることを特徴とする。
本発明によれば、このような傾斜を設けることにより、ブラシ面を歯に平らに当てることができる。
【００１０】
上記発明において、前記首部は背面側に膨出し、側面視略円弧状に形成されていることを特徴とする。
本発明によれば、歯磨き中に首部が唇に当たり歯が磨き難くなるのを防止することができる。
【００１１】
前記柄部の背面の中央付近には、外側に突出する引掛部が形成されていることを特徴とする。
本発明によれば、使用者が口腔の中からかき出す動作を行う際に引掛部が指の引っ掛かりとなり、手が滑るのを防ぐことができる。
【００１２】
上記発明において、前記毛束を構成する毛の先端部の表面には、凹凸が設けられていることを特徴とする。
本発明によれば、毛の先端部の表面に設けられた凹凸により、歯間や歯の表面の汚れを容易に取り除くことができる。
【図面の簡単な説明】
【００１３】
【図１】（ａ）は本発明の実施形態に係るＴ字型の歯ブラシの正面図、（ｂ）はその側面図である。
【図２】（ａ）は図１に示す歯ブラシのヘッド部を９０°回転させた場合の直線状の歯ブラシの正面図、（ｂ）はその側面図である。
【図３】（ａ）はヘッド台部分の背面図であり、（ｂ）は（ａ）に示す面を上面とした場合のヘッド台部分の側面図である。
【図４】（ａ）はヘッド部の主面のうちヘッド台に連結される側の主面の図であり、（ｂ）は（ａ）に示す面を下面とした場合のヘッド部の長手方向の側面図である。
【図５】（ａ）はキャップ状部材の平面図であり、（ｂ）は（ａ）に示すＡ−Ａ線による断面図である。
【発明を実施するための形態】
【００１４】
以下、図面を参照して、本発明の実施の形態について詳細に説明する。
図１（ａ）は本発明の実施形態に係るＴ字型の歯ブラシの正面図、（ｂ）はその側面図であり、図２（ａ）は図１に示す歯ブラシのヘッド部を９０°回転させた場合の直線状の歯ブラシの正面図、（ｂ）はその側面図である。
【００１５】
本発明の一実施の形態に係る歯ブラシ１は、毛束１０が植毛されたヘッド部２０と、ヘッド部２０を支持するヘッド台３０と、使用者が把持する柄部４０と、ヘッド台３０と柄部４０とを連結する首部５０とを有している。当該歯ブラシ１は主に合成樹脂で形成されている。
【００１６】
以下の説明においては、歯ブラシ１の毛束１０の端面が視認できる面（図１（ａ）に示す面）を歯ブラシ１の正面、その反対側の毛束１０が視認できない面を背面とする。
【００１７】
図３（ａ）は歯ブラシ１の先端部分に設けられたヘッド台３０部分の背面図であり、（ｂ）は（ａ）に示す面を上面とした場合のヘッド台３０部分の側面図である。
【００１８】
ヘッド台３０の正面側には、十字状の凹部３１が設けられている。また、凹部３１の十字状の中心部には、ヘッド台３０の厚さ方向に貫通する貫通孔３２が設けられている。本実施形態では、ヘッド台３０の厚さは４ｍｍ、正面及び背面は１辺が８ｍｍの正方形状に形成されており、十字状の凹部３１を構成する放射状の４つの溝の深さは各々１ｍｍであって、長さが２．５ｍｍで幅１ｍｍに形成されている。貫通孔３２には背面側から３ｍｍの深さに段差部３３が形成されており、背面側から段差部３３まで（３ｍｍの深さまで）の直径は５ｍｍに形成されている。また、貫通孔３２の正面側から段差部３３までの深さは１ｍｍに形成されており、正面側から段差部３３まで（１ｍｍの深さまで）の直径は３ｍｍに形成されている。
【００１９】
図４（ａ）はヘッド部２０の主面のうちヘッド台３０に連結される側（つまり、毛束１０が植毛される主面とは反対側）の主面の図であり、図４（ｂ）は（ａ）に示す面を下面とした場合のヘッド部２０の長手方向の側面図である。
【００２０】
ヘッド部２０は、口腔内の奥に容易に到達でき奥歯を磨き易くするために、小さく薄く形成されている。本実施形態では、ヘッド部２０の厚さは３ｍｍ、主面２１、２２のサイズは８ｍｍ×２３ｍｍに形成されている。
【００２１】
ヘッド部２０の一方の主面には複数のタフト穴（不図示）が設けられており、各タフト穴に合成樹脂からなる毛の束である毛束１０が植毛され固定されている。毛束１０は、その先端面を連ねた面がヘッド部２０の主面２１、２２と平行になるように植毛されている。毛束１０を構成する複数の各毛は、長さが短めで細いものが好ましい。各毛の先端部（例えば、先端から２ｍｍ程度）の表面には、凹凸（不図示）が設けられている。この凹凸は、デンタルフロスの表面に設けられているものと同様のものが好ましい。毛の表面に凹凸を設けることで、歯の表面や歯間の汚れや歯垢を効率よく落とすことができる。
【００２２】
ヘッド部２０の他方の主面２２には、ヘッド台３０の凹部３１と嵌合可能な十字状の凸部２３が形成されている。凸部２３の十字状の中心部からは、ボルト部２４が厚さ方向外側に突出している。当該ボルト部２４は、ヘッド台３０の貫通孔３２に挿通可能となっている。ボルト部２４の外周には、後述するキャップ状部材６０と螺合可能な外ネジ２５が形成されている。
【００２３】
十字状の凸部２３を構成する放射状の４つの突起の各サイズは、ヘッド台３０の凹部３１と嵌合可能なように、凹部３１の４つの溝と略同様のサイズに形成されている。また、ボルト部２４の直径は、ヘッド台３０の貫通孔３２に正面側から挿通可能なように、約３ｍｍに形成されている。
【００２４】
ヘッド部２０のボルト部２４がヘッド台３０の正面側から貫通孔３２に挿通され、ヘッド部２０の凸部２３がヘッド台３０の凹部３１に嵌合した状態で、ヘッド部２０のボルト部２４は、ヘッド台３０の背面側から貫通孔３２に挿入されたキャップ状部材６０で固定される。
【００２５】
図５（ａ）はキャップ状部材６０の平面図、（ｂ）はキャップ状部材６０の（ａ）に示すＡ−Ａ線による断面図である。キャップ状部材６０は、内ネジ６１が形成された円筒状の内壁を有するキャップである。
【００２６】
キャップ状部材６０は、外径が５ｍｍ、外壁の高さが３ｍｍに形成されており、内ネジ６１が形成されている内壁の高さは２ｍｍ、内径は３ｍｍに形成されている。キャップ状部材６０は、ヘッド台３０の背面側からボルト部２４を覆いつつ貫通孔３２に挿入され、内ネジ６１がヘッド部２０のボルト部２４の外ネジ２５と螺合される。この状態で、キャップ状部材６０の下端部が貫通孔３２の段差部３３及びヘッド部２０の凸部２３と当接し、キャップ状部材６０の頭部がヘッド台３０の背面と面一となる。
【００２７】
このように、ヘッド台３０の貫通孔３２に挿通されたヘッド部２０のボルト部２４の外ネジ２５に対して、キャップ状部材６０の内ネジ６１を螺合させることにより、ヘッド部２０がヘッド台３０に安定して固定され、歯磨き中にヘッド部２０が厚さ方向に移動するのを防ぐことができる。また、ボルト部２４の外ネジ２５とキャップ状部材６０の内ネジ６１をしっかりと螺合させることで、ヘッド部２０の凸部２３とヘッド台３０の凹部３１とが確実にしっかりと嵌合するため、歯磨き中にヘッド部２０が回転するのを防止することができる。なお、ボルト部２４とキャップ状部材６０との固定手段はネジ以外にも任意の公知の手段を用いることができる。
【００２８】
ヘッド部２０をヘッド台３０に対して９０°回転させ、歯ブラシ１のＴ型と直線型とを切り替えるには、キャップ状部材６０による固定を緩め、ヘッド部２０の凸部２３とヘッド台３０の凹部３１との嵌合を一旦外し、ヘッド部２０を９０°回転させて、ヘッド部２０の凸部２３を今まで嵌合していた凹部３１とは９０°離れた位置にある凹部３１と嵌合させた後、再びキャップ状部材６０を締める。
【００２９】
図１及び図２に戻り、ヘッド台３０と柄部４０とを連結する首部５０は、背面側に膨出した形状を有しており、側面視略円弧状に形成されている。首部５０をこのような背面方向に湾曲した形状とすることにより、歯磨き中に首部５０が唇に当たり、歯が磨き難くなるのを防止することができる。
【００３０】
柄部４０は、歯ブラシ１の使用時に、使用者が把持する部分である。柄部４０は、ヘッド部２０から遠ざかるに従って、ヘッド部２０の主面２１，２２に対して背面側に傾斜している。この傾きにより、ヘッド部２０に植毛された毛束１０を歯に平らに当てることができる。本実施形態では、ヘッド部２０の主面２１．２２と柄部４０の軸との角度は６°としている。当該角度は５°〜１０°とすることが好ましい。
【００３１】
柄部４０の背面側の中央付近には、外側に突出する引掛部４１が形成されている。引掛部４１の首部５０側の端部と柄部４０との境界には、段差部４２が設けられており、引掛部４１の首部５０側の端部は、柄部４０から略９０°の角度で外側に突出している。引掛部４１の首部５０側とは反対側の端部は、柄部４０となだらかに繋がっている。使用者が口腔からかき出す動作を行う際にこの引掛部４１が指の引っ掛かりとなり、柄部４０から手が滑るのを防ぐことができる。
【００３２】
また、柄部４０の中央付近の幅は、他の柄部４０の幅よりも太く形成されてており、柄部４０の中央付近の両側側面には、山型形状に外側に突出する引掛部４３が形成されている。この引掛部４３によっても柄部４０から手が滑るのを防ぐことができる。
【００３３】
以上のように構成された歯ブラシ１は、図１に示すように、ヘッド部２０の長手方向と柄部４０の長手方向とが直交するように凹部３１と凸部２３を嵌合させてヘッド部２０とヘッド台３０とを固定した場合には、全体Ｔ字状となる。この形状の場合には、柄部４０を手で把持してヘッド部２０に植毛された毛束１０を歯間に沿って上下方向に動かしやすい。その結果、複数個の歯をまとめて左右方向に磨くのではなく、一個一個の歯及び歯間を個別に上下方向に沿って丁寧に磨くことができ、歯間や歯と歯茎との間の歯垢を容易に除去することができる。
【００３４】
また、ヘッド部２０の長手方向と柄部４０の長手方向とが平行になるように凹部３１と凸部２３を嵌合させて、ヘッド部２０とヘッド台３０とを固定した場合には、全体直線状となる。この形状の場合には、従来の使い勝手で使用することができ、また、持ち運び用の収納ケースに収納する際に歯ブラシ１を直線状とする必要がある場合等に利便性が高い。
【００３５】
また、ヘッド部２０に凸部２３を設けたことにより、ヘッド部２０の強度が高まるため、ヘッド部２０の厚さを薄くすることができる。ヘッド部２０の厚さを薄くすることにより、ヘッド部２０を口腔の奥まで容易に入れることができ、奥歯を容易に磨くことができる。
【００３６】
以上説明したように、歯ブラシ１は、ボルト部２４がヘッド台３０の正面側から貫通孔３２に挿通され、凸部２３が凹部３１と嵌合した状態で、ボルト部２４はヘッド台３０の背面側から貫通孔３２に挿入されたキャップ状部材６０で固定されているため、ヘッド部２０はヘッド台３０及びキャップ状部材６０でしっかり固定され、歯磨き中にヘッド部２０が回転したり厚さ方向に動いたりすることがなく、安定して使用することができる。
【００３７】
なお、使用者がヘッド部２０を９０°回転させる際に、使用者が指でキャップ状部材６０をつまんでネジを緩め易いように、キャップ状部材６０の頭部の周囲や中心部に窪みを設けてもよいし、頭部の中心部に突起を設けてもよい。キャップ状部材６０の頭部の中心部に窪みを設ける場合には、当該窪みにコイン等を挿入して回転できるように、幅が２ｍｍで深さが０，３ｍｍのスリット状のものが好ましい。また、キャップ状部材６０を締めた状態でキャップ状部材６０の頭部がヘッド台３０の背面から露出するように、キャップ状部材６０の外壁の高さを３ｍｍよりも高くしてもよい。
また、上述した実施形態における各部材のサイズは一例に過ぎず、本発明を実施可能な範囲内で任意に設計することができる。
【符号の説明】
【００３８】
１・・・・歯ブラシ
１０・・・毛束
２０・・・ヘッド部
２１・・・一方の主面
２２・・・他方の主面
２３・・・凸部
２４・・・ボルト部
２５・・・外ネジ
３０・・・ヘッド台
３１・・・凹部
３２・・・貫通孔
３３・・・段差部
４０・・・柄部
４１・・・引掛部
４２・・・段差部
４３・・・引掛部
５０・・・首部
６０・・・キャップ状部材
６１・・・内ネジ
【図１】
2019071943.tif 000003
【図２】
2019071943.tif 000004
【図３】
2019071943.tif 000005
【図４】
2019071943.tif 000006
【図５】
2019071943.tif 000007
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
毛束が植毛されたヘッド部と、前記ヘッド部を支持するヘッド台と、使用者が把持する柄部と、前記ヘッド台と前記柄部とを連結する首部と、を有する歯ブラシであって、
前記ヘッド台は、正面側に十字状の凹部を有するとともに、前記十字状の中心部において前記ヘッド台の厚さ方向に貫通する貫通孔を有し、
前記ヘッド部は、一方の主面に毛束が植毛され、他方の主面に前記ヘッド台の前記凹部と嵌合可能な十字状の凸部を有するとともに、前記十字状の中心部から厚さ方向に突出し前記ヘッド台の前記貫通孔に挿通可能なボルト部を有し、
前記ボルト部が前記ヘッド台の正面側から前記貫通孔に挿通され、前記凸部が前記凹部と嵌合した状態で、前記ボルト部は前記ヘッド台の背面側から前記貫通孔に挿入されたキャップ状部材と螺合することで固定されており、
前記貫通孔の背面側寄りの第１の径は正面側寄りの第２の径よりも大きく、前記貫通孔の径が前記第１の径から前記第２の径に変化する部分には段差部が形成されており、前記貫通孔に挿入された前記キャップ状部材の下端部は前記貫通孔の前記段差部及び前記ヘッド部の前記凸部と当接していることを特徴とする歯ブラシ。
【請求項２】
前記キャップ状部材の頭部は前記ヘッド台の背面と面一となっており、前記キャップ状部材の前記頭部にはスリット状の窪みが設けられていることを特徴とする請求項１に記載の歯ブラシ。
【請求項３】
前記柄部は、前記ヘッド部から遠ざかるに従って、前記ヘッド部の前記主面に対して背面側に傾斜していることを特徴とする請求項１又は２に記載の歯ブラシ。
【請求項４】
前記首部は背面側に膨出し、側面視略円弧状に形成されていることを特徴とする請求項１から３の何れか１項に記載の歯ブラシ。
【請求項５】
前記柄部の背面の中央付近には、外側に突出する引掛部が形成されており、前記引掛部における前記首部側の端部は、前記柄部から略９０°の角度で外側に突出していることを特徴とする請求項１から４の何れか１項に記載の歯ブラシ。